(57)【要約】【課題】ユーザーの設置状況や業種を考慮して交換が必要な部品に関する交換情報を算出し、メンテナンス作業を支援すること。【解決手段】メンテナンス作業支援装置であるサーバー３は、点検対象機器７を構成する部品の品質情報と、部品の過去の交換履歴、点検対象機器７と同種の機器の使用状況に対応した部品の交換実績から、点検対象機器７において交換が望ましい部品に関する情報、即ち、交換情報を算出する。交換実績は、点検対象機器７の使用状況やユーザーの業種などを考慮して補正される。【選択図】図１
2010165098.tif 000002
【特許請求の範囲】
【請求項１】
機器を構成する部品の交換情報を算出し、前記機器のメンテナンス作業を支援するメンテナンス作業支援装置であって、
各種情報を記憶する記憶部と前記記憶部に記憶された情報により前記メンテランス装置を制御する制御部とを有し、
前記記憶部は、
前記機器の識別情報と、前記機器を構成する部品の品質向上のための交換状況とを、品質情報として記憶する品質情報記憶手段と、
前記機器の識別情報と、前記機器を構成する部品の過去の障害による交換状況とを、交換履歴情報として記憶する交換履歴情報記憶手段と、
前記機器を構成する部品の交換実績を、前記機器の使用状況に対応させて、交換実績情報として記憶する交換実績情報記憶手段と、
を有し、
前記制御部は、
点検対象となる機器の識別情報と使用状況に基づき、当該機器を構成する部品の品質情報及び交換履歴情報及び交換実績情報を検索し、前記検索結果を基に、当該機器を構成し交換が望ましい部品に関する情報を交換情報として算出する交換情報算出手段、
を有することを特徴とするメンテナンス作業支援装置。
【請求項２】
前記交換実績情報は、前記機器の設置情報により補正されることを特徴とする請求項１記載のメンテナンス作業支援装置。
【請求項３】
前記設置情報は、前記機器のユーザーの業種、前記機器の設定場所の温度、湿度、周囲の汚れ具合のうちのいずれか、或いは、それらのうちのいくつかを組み合わせた情報であることを特徴とする請求項２記載のメンテナンス作業支援装置。
【請求項４】
前記交換実績情報は、前記機器を構成する部品の交換率が予め決められた基準値を超えた場合に、当該部品を交換が望ましい部品とする情報であることを特徴とする請求項１又は請求項２記載のメンテナンス作業支援装置。
【請求項５】
前記交換実績情報は、前記機器を構成する部品の交換率の順位が予め決められた基準値を超えた場合に、当該部品を交換が望ましい部品とする情報であることを特徴とする請求項１又は請求項２記載のメンテナンス作業支援装置。
【請求項６】
前記交換情報は、前記機器に導入され、更新が必要とされるファームウェアの情報を含むことを特徴とする請求項１記載のメンテナンス作業支援装置。
【請求項７】
前記交換情報は、前記機器を構成し、交換が望ましい部品の単価に関する情報を含むことを特徴とする請求項１記載のメンテナンス作業支援装置。
【請求項８】
前記交換情報は、当該機器を構成し、交換が望ましい部品の交換作業にかかる時間に関する情報を含むことを特徴とする請求項１記載のメンテナンス作業支援装置。
【請求項９】
前記交換情報を出力する出力手段を更に備えることを特徴とする請求項１に記載のメンテナンス作業支援装置。
【請求項１０】
前記出力手段は、請求項１に記載のメンテナンス作業支援装置にデータ送受信可能に接続する端末装置に、前記交換情報を出力することを特徴とする請求項９記載のメンテナンス作業支援装置。
【請求項１１】
請求項１に記載のメンテナンス作業支援装置にデータ送受信可能に接続する端末装置から前記点検対象となる機器の識別情報の入力を受け付けることを特徴とする請求項１記載のメンテナンス作業支援装置。
【請求項１２】
前記交換情報算出手段は、前記機器を構成し交換が望ましい部品を、前記機器の品質向上のための交換部品か、故障の予防のための交換部品かに分類し、交換情報として算出することを特徴とする請求項１記載のメンテナンス作業支援装置。
【請求項１３】
前記交換情報算出手段は、前記機器を構成し交換が望ましい部品のうち、故障の予防のための交換部品と分類された部品にたいして、当該部品の交換率を予防度合として算出することを特徴とする請求項１記載のメンテナンス作業支援装置。
【請求項１４】
前記出力手段は、前記機器の設置情報により補正された交換実績情報を用いて算出した交換情報と、補正されない通常の交換実績情報を用いて算出した交換情報との両方を、請求項１に記載のメンテナンス作業支援装置にデータ送受信可能に接続する端末装置に出力し、表示させることを特徴とする請求項１０記載のメンテナンス作業支援装置。
【請求項１５】
機器を構成する部品の交換情報を算出し、前記機器のメンテナンス作業を支援するメンテナンス作業支援方法であって、
前記機器の識別情報と、前記機器を構成する部品の品質向上のための交換状況とを、品質情報として記憶するステップと、
前記機器の識別情報と、前記機器を構成する部品の過去の障害による交換状況とを、交換履歴情報として記憶するステップと、
前記機器を構成する部品の交換実績を、前記機器の使用状況に対応させて、交換実績情報として記憶するステップと、
点検対象となる機器の識別情報と使用状況に基づき、当該機器を構成する部品の品質情報及び交換履歴情報及び交換実績情報を検索し、前記検索結果を基に、当該機器を構成し交換が望ましい部品に関する情報を交換情報として算出するステップと、
を有することを特徴とするメンテナンス作業支援方法。
【請求項１６】
コンピュータを、
機器の識別情報と、前記機器を構成する部品の品質向上のための交換状況とを、品質情報として記憶する品質情報記憶手段と、
前記機器の識別情報と、前記機器を構成する部品の過去の障害による交換状況とを、交換履歴情報として記憶する交換履歴情報記憶手段と、
前記機器を構成する部品の交換実績を、前記機器の使用状況に対応させて、交換実績情報として記憶する交換実績情報記憶手段と、
点検対象となる機器の識別情報と使用状況に基づき、当該機器を構成する部品の品質情報及び交換履歴情報及び交換実績情報を検索し、前記検索結果を基に、当該機器を構成し交換が望ましい部品に関する情報を交換情報として算出する交換情報算出手段、
として動作させるプログラム。
【発明の詳細な説明】
【技術分野】
【０００１】
本発明は、印刷装置などの点検対象機器の部品交換といったメンテナンス作業を支援する技術に関する。
【背景技術】
【０００２】
近年、様々な業種のユーザーが、様々な環境下で、複写装置やファクシミリ装置などの印刷装置を使用している。この印刷装置は、故障を事前に防止し、印刷の品質を保つために、定期的に部品を交換するなどのメンテナンス作業を行う場合がある。この部品交換作業といったメンテナンス作業を支援するための様々な技術が開発されている。
【０００３】
例えば、特許文献１に示されるように、印刷装置が動作履歴や動作時間を計測し、計測した動作時間や履歴により部品交換の時期が来たことを自身の表示パネルに表示することが記載されている。
また、特許文献２には、印刷装置が、最近の印刷枚数を考慮して定期交換部品の交換時期を自動的に判断し、事前に通知することが記載されている。
また、特許文献３には、機器を構成する部品に対して予め設定された交換期間情報を含む部品情報と、ユーザーが使用する機器を構成する部品の過去の交換状況から部品の交換期間を予測する部品管理システムが記載されている。
【先行技術文献】
【特許文献】
【０００４】
【特許文献１】特開昭６３−１７３６７７号公報
【特許文献２】特開２００１−１８００９２号公報
【特許文献３】特開２００７−１０９０５６号公報
【発明の概要】
【発明が解決しようとする課題】
【０００５】
しかしながら、従来の印刷装置のための部品交換支援技術では、主に故障を予防するための部品交換を対象としており、ユーザー毎に異なる使用（設置）環境や印刷品位に対する認識や要求などに対応して部品交換を行うことができないという問題がある。例えば、部品の使用時間が部品の寿命（故障）までには達していない場合でも、ユーザーの業種に求められる印刷品質を満たすためには交換が必要である場合もあり、従来の技術ではそのような場合に対応しがたい。
また、点検時において、部品が故障はしていなくても、部品の故障防止或いは印刷の品質向上のための部品交換が必要であることを、メンテナンス作業者がユーザーに説明する場合に、どの時点で部品を交換すべきか、それがなぜ必要かなどを説明することが困難であり、また、メンテナンス作業者の修理、顧客対応の経験の有無により、メンテナンス作業者がこのような説明を上手くできない場合もある。
【０００６】
本発明は、以上の点に鑑みてなされたものであり、ユーザーの設置状況や品質に対する要求等を考慮して交換や点検が必要である部品に関する情報を算出し、メンテナンス作業者の経験の差によるメンテナンス作業の品質や作業効率の差を低減し、メンテナンス業者の作業を支援することを目的とする。
【課題を解決するための手段】
【０００７】
前述した目的を達成するために本発明は、機器を構成する部品の交換情報を算出し、前記機器のメンテナンス作業を支援するメンテナンス作業支援装置であって、各種情報を記憶する記憶部と前記記憶部に記憶された情報により前記メンテランス装置を制御する制御部とを有し、前記記憶部は、前記機器の識別情報と、前記機器を構成する部品の品質向上のための交換状況とを、品質情報として記憶する品質情報記憶手段と、前記機器の識別情報と、前記機器を構成する部品の過去の障害による交換状況とを、交換履歴情報として記憶する交換履歴情報記憶手段と、前記機器を構成する部品の交換実績を、前記機器の使用状況に対応させて、交換実績情報として記憶する交換実績情報記憶手段と、を有し、前記制御部は、点検対象となる機器の識別情報と使用状況に基づき、当該機器を構成する部品の品質情報及び交換履歴情報及び交換実績情報を検索し、前記検索結果を基に、当該機器を構成し交換が望ましい部品に関する情報を交換情報として算出する交換情報算出手段、を有することを特徴とする。
【０００８】
ここで、品質情報には部品が品質向上のために交換する部品であるかどうかという情報が含まれる。
本発明では、この部品の品質情報と、部品の過去の交換履歴、点検対象となる機器と同じ機種の機器の使用状況に対応した交換実績から、点検対象となる機器においての交換が望ましい部品に関する情報、即ち、交換情報を算出する。
また、交換実績は、機器の使用状況やユーザーの業種などを考慮して補正することが可能であり、機器の使用状況やユーザーの業種に合わせた部品の交換情報を算出することが可能である。
【０００９】
また、本発明は、前記のメンテナンス作業支援装置としてコンピュータを機能させるためのプログラムである。
また、本発明は、機器を構成する部品の交換情報を算出し、前記機器のメンテナンス作業を支援するメンテナンス作業支援方法であって、前記機器の識別情報と、前記機器を構成する部品の品質向上のための交換状況とを、品質情報として記憶するステップと、前記機器の識別情報と、前記機器を構成する部品の過去の障害による交換状況とを、交換履歴情報として記憶するステップと、前記機器を構成する部品の交換実績を、前記機器の使用状況に対応させて、交換実績情報として記憶するステップと、点検対象となる機器の識別情報と使用状況に基づき、当該機器を構成する部品の品質情報及び交換履歴情報及び交換実績情報を検索し、前記検索結果を基に、当該機器を構成し交換が望ましい部品に関する情報を交換情報として算出するステップとを有することを特徴とする。
【００１０】
本発明によれば、メンテナンス作業を行う作業者は、ユーザーの設置状況や品質に対する要求等を考慮して交換や点検が必要な部品に関する情報を迅速に的確に取得できる。また、その部品交換の必要性が故障の予防のためなのか或いは品質向上のためなのかなどを明確にすることができるため、ユーザーにメンテナンス作業を理解させ、納得させることができ、メンテナンス作業の効率や品質の向上につながる。
【図面の簡単な説明】
【００１１】
【図１】メンテナンス作業支援システムのブロック構成図である。
【図２】メンテナンス作業支援装置による交換情報算出処理の手順を示すフローチャートである。
【図３】対策部品情報を示す図である。
【図４】対策部品情報の検索結果の一例を示す図である。
【図５】交換履歴情報を示す図である。
【図６】交換履歴情報の検索結果の一例を示す図である。
【図７】交換実績情報を示す図である。
【図８】交換実績情報を用いた検索結果を示す図である。
【図９】交換情報を示す図である。
【図１０】第２の実施形態におけるメンテナンス作業支援装置による交換情報算出処理の手順を示すフローチャートである。
【図１１】設置ランクを示す図である。
【図１２】設置ランクを考慮した交換実績情報を示す図である。
【図１３】設置ランクを考慮した交換実績情報を用いた検索結果を示す図である。
【図１４】設置ランクを考慮した交換情報を示す図である。
【図１５】第３の実施形態における設置ランクを考慮した交換実績情報を示す図である。
【図１６】設置ランクを考慮した交換実績情報を用いた検索結果を示す図である。
【図１７】設置ランクを考慮した交換情報を示す図である。
【図１８】ファームウェアのバージョン情報を含む交換情報を示す図である。
【図１９】交換部品の単価を含む交換情報を示す図である。
【図２０】交換部品の交換作業時間を含む交換情報を示す図である。
【図２１】交換部品の予防度合を含む交換情報を示す図である。
【図２２】点検対象機器７の部品の分類の一例を示す図である。
【図２３】業種による部品の分類を示す図である。
【発明を実施するための形態】
【００１２】
以下に、添付図面を参照しながら、本発明に係るメンテナンス作業支援装置の好適な実施形態について詳細に説明する。なお、以下の説明および添付図面において、略同一の機能構成を有する構成要素については、同一の符号を付することにより重複説明を省略することにする。
【００１３】
図１は、メンテナンス作業支援システムのブロック構成図である。メンテナンス作業支援システムは、メンテナンス作業支援装置であるサーバー３、携帯端末５、メンテナンス作業の対象となる点検対象機器７と、ネットワーク２とから構成される。サーバー３と携帯端末５、サーバー３と点検対象機器７とが、ネットワーク２を介して有線または無線によって通信可能に接続される。ネットワーク２は、インターネットやＬＡＮ（Local Area Network）などのネットワークである。
【００１４】
サーバー３はコンピュータであり、制御部１１、記憶部１２、通信部１３を有する。制御部１１は中央演算処理装置（ＣＰＵ）やマイクロプロセッサ等であり、記憶部１２、通信部１３といった各部の制御を行うとともに、後述する部品の交換情報算出手段としての処理を行う。記憶部１２は不揮発性メモリ、揮発性メモリ、ハードディスクといった記憶装置であり、後述する各種の情報（データベース）や部品の交換情報算出手段の処理を行うプログラムなどを記憶する。
【００１５】
制御部１１は、例えば不揮発性メモリなどの記憶部１２に記憶されたプログラムを読み出して実行し、部品の交換情報算出手段としての処理を行う。通信部１３は、ネットワーク２を介して携帯端末５や点検対象機器７とのデータの送受信を行う。図１には図示していないが、サーバー３は、データ入力を受け付ける入力部や処理結果を出力するための出力部を備えていてもよい。
【００１６】
携帯端末５は、コンピュータ、ＰＤＡ、携帯電話、ＰＨＳ等の端末装置であり、制御部２１、通信部２２、表示部２３、記憶部２４、入力部２５を有する。制御部２１は、通信部２２、表示部２３、記憶部２４、入力部２５の制御を行う。通信部２２は、ネットワーク２を介してサーバー３とのデータの送受信を行う。表示部２５は、サーバー３から受信した処理結果などを表示する。記憶部２４は、入力部２５から入力を受け付けた点検対象機器７に関する情報やサーバー３から受信した処理結果等を記憶する。入力部２５は、点検対象機器７に関する情報、例えば、点検対象機器７の識別番号（シリアル番号、製造番号など）の入力を受け付ける。
【００１７】
点検対象機器７は印刷装置（例えば、プリンター）、印刷機能を有する複写機やファクシミリなどの機器であり、ユーザーの各使用環境下に設置され、定期的にメンテナンスを受ける機器である。点検対象機器７は、温度センサ３１、湿度センサ３２、ほこりセンサ３３などのセンサ、印刷枚数カウンタ３４、通信部３５、そして点検され部品交換される（メンテナンス対象となる）１以上のパーツＰを有する。
【００１８】
温度センサ３１は、点検対象機器７が設置される場所の温度を計測する。湿度センサ３２は、点検対象機器７が設置される場所の湿度を計測する。ほこりセンサ３３は、点検対象機器７の周囲のほこりの量、例えばほこりの空間密度等を測定するものであり、点検対象機器７の使用環境の汚れ具合を計測するものである。点検対象機器７に設置されるセンサは、図１に示す３種に限らず、適宜増減可能である。
【００１９】
印刷枚数カウンタ３４は、点検対象機器７が印刷した印刷枚数を計測する。通信部３５は、印刷枚数カウンタ３４が計測した印刷枚数などの情報を、ネットワーク２を介してサーバー３に送信する。例えば、通信部３５は、温度センサ３１、湿度センサ３２、ホコリセンサ３３、印刷枚数カウンタ３４、の検出結果あるいはカウント結果を一定期間毎に得て、サーバー３に送信する。この送信は、印刷枚数カウンタ３４のカウント結果が一定枚数に到達した場合に行うようにしてもよいし、定期点検時にサーバー３から送信要求を送信して、この要求に応じて送信してもよい。
【００２０】
パーツＰは、点検対象機器７を構成する部品であり、部品交換（メンテナンス）の対象となる部品である。以下の説明ではパーツを「部品」ともいう。
ここで、部品は対策部品と予防部品とに分類される。
対策部品は、一定期間内に故障が発生する可能性は基準値（故障の発生率の基準値）より低いが、交換することによって印刷性能（品質）を向上させることが可能な部品である。例えば、防振ゴムを例に取ると、対策部品の防振ゴムは、標準仕様の防振ゴムとは異なる素材或いは構造であり、標準仕様のものより防振性能が高いものとなる。つまり、標準仕様の防振ゴムでも一定の品質基準を満たす印刷を行うことができ、故障発生率も基準値以下であるが、対策部品の防振ゴムに交換した場合、防振性能が向上し、印刷の品質が向上することとなる。
【００２１】
予防部品は、例えば点検時の現段階において故障は発生していないが、一定期間内（例えば、次回の点検までの期間内）に故障が発生する可能性が基準値（故障の発生率の基準値）より高い部品である。
メンテナンスでは、点検対象機器７のパーツＰの故障を防ぐために、パーツＰを交換する場合もあるが、点検対象機器７のユーザーの業種や使用環境等によって、パーツＰを対策部品と交換して印刷品質を向上させる場合もある。本メンテナンス作業支援装置は、このような様々な点検対象機器７の使用環境やユーザーの業種等に合わせてメンテナンス支援を行うものである。
【００２２】
次に、メンテナンス作業支援装置であるサーバー３の動作について説明する。
ここでは、例えば、点検対象機器７の印刷装置のメンテナンス作業を行うメンテナンス作業者が、点検対象機器７が設けられた現場に出向き、携帯端末５を用いて、点検対象機器７に関する情報（例えば、識別情報）を入力してサーバー３に送信し、サーバー３はその情報を基に現点検時における点検対象機器７の部品の交換情報を算出する場合を例に説明する。
【００２３】
図２は、サーバー３による部品の交換情報算出処理の手順を示すフローチャートである。処理の主体はサーバー３の制御部１１であり、上述の交換情報算出手段に相当する。
制御部１１は、点検対象機器７のシリアル番号に基づいて、点検対象機器７における対策部品を検索する（図２ステップＳ３０１）。点検対象機器７のシリアル番号は、メンテナンス作業者によって携帯端末５の入力部２５から入力され、通信部２２によってサーバー３の通信部１３に送信される。また、点検時点での点検対象機器７の延べ印刷枚数も点検対象機器７或いは携帯端末５からサーバー３に送信される。
【００２４】
図３は、サーバー３の記憶部１２が記憶する対策部品情報４１を示す図である。対策部品情報４１は、点検対象機器７の識別情報であるシリアル番号（符号４１ａ）に、点検対象機器７を構成する対策部品（対策パーツ）情報（符号４１ｂ）が対応付けされている。
図４は、ステップＳ３０１の検索によって得られる情報を示す図である。ステップＳ３０１において、制御部１１は、通信部１３が受信した点検対象機器７のシリアル番号に対応する当該点検対象機器７における対策部品情報を検索する。ここでは、図４に示すように、点検対象機器７のシリアル番号が「ＡＢＣＤ０００１２３」である場合、「パーツ１０」と「パーツ１１」が対策部品であることが検索結果として得られる。この検索結果を「結果Ａ」とする。
【００２５】
次に、制御部１１は、点検対象機器７のシリアル番号に基づいてパーツの交換履歴を検索する（図２ステップＳ３０２）。
図５は、サーバー３の記憶部１２が記憶する交換履歴情報５１を示す図である。交換履歴情報５１は、点検対象機器７のシリアル番号と、点検対象機器７を構成する部品のうち過去に交換が行われた部品を表す交換履歴と、その部品交換を行った時点における印刷枚数を表す情報とを含む。
図６は、ステップＳ３０２の検索によって得られる情報を示す図である。図６に示すように、例えば、シリアル番号「ＡＢＣＤ０００１２３」の点検対象機器７では印刷枚数が「５０００枚」に到達した時点において「パーツ１０」と「パーツ１５」を交換したという情報が検索結果として得られる。この検索結果を「結果Ｂ」とする。
【００２６】
次に、制御部１１は、延べ印刷枚数ごとの部品の交換実績を検索する（図２ステップＳ３０３）。
図７は、サーバー３の記憶部１２が記憶する交換実績情報６１を示す図である。交換実績情報６１は、部品交換を行った際の印刷枚数（例えば述べ印刷枚数）とパーツの名称とパーツの交換率とが、機種名毎に記憶される情報である。ここでは、機種名とシリアル番号とが対応付けされたデータを元に、機種名を、点検対象機器７のシリアル番号に基づいて検出可能であり、ここでは、例えばシリアル番号「ＡＢＣＤ０００１２３」に対応する機種は「ＬＰ９１０」である。
図７において、例えば印刷枚数「５０００枚」である場合に「パーツ１５」の交換率が「２０％」であるとき、この機種において印刷枚数が「５０００枚」に達した点検対象機器１００台のうち２０台が「パーツ１５」を交換したという交換実績を表している。
また、この図７においては、予め決められた交換率の基準値以上のパーツが対象として記憶されており、ここで「交換率が１０％」以上のものが対象として記憶されている。
【００２７】
次に、制御部１１は、点検対象機器７において交換未実施の対策部品を検索する（図２ステップＳ３０４）。これは、ステップＳ３０２で検索した過去の交換実績を参照し、ステップＳ３０１で検索した対策部品のうち、交換未実施の対策部品を検索するものである。即ち、ステップＳ３０４の処理は、点検対象機器７における品質向上のための部品の交換状況を検索するものである。これは、例えば、図４に示す「結果Ａ」のパーツから図６に示す「結果Ｂ」のパーツを除く処理であり、その結果「パーツ１１」が交換未実施の対策部品として検索される。
【００２８】
次に、制御部１１は、延べ印刷枚数に基づく交換実績情報６１から上位の交換パーツを取得し、交換履歴情報５１を参照して交換未実施のパーツを検索する（図２ステップＳ３０５）。ここで、交換率が上位であるということは、「交換が望ましい」という度合いが高いことを表しており、その交換率が高いものほど上位である。
【００２９】
ここで、現点検時の点検対象機器７の延べ印刷枚数が「１２３００枚」であり、その延べ印刷枚数が携帯端末５からサーバー３に送信されたとする。延べ印刷枚数「１２３００枚」ということから、交換実績情報６１の「１００００枚」の交換実績として挙げられた部品「パーツ１０、パーツ１１、パーツ１２、パーツ１３、パーツ１４」のうち、交換履歴情報５１で交換履歴が記憶された「パーツ１０、パーツ１５」を除いた「パーツ１１、パーツ１２、パーツ１３、パーツ１４」がステップＳ３０５の検索結果として検索される。図８は、検索結果を示す図である。ステップＳ３０５による処理の結果が図８に示す「結果Ｃ１」となる。
【００３０】
次に、制御部１１は、交換履歴情報５１を参照し、交換を実施したパーツの中で、現時点の印刷枚数を基に交換が必要とされるパーツを検索する（図２ステップＳ３０６）。例えば、現在の延べ印刷枚数は「１２３００枚」であり、交換履歴情報５１より「パーツ１０、パーツ１５」は「５０００枚」で交換した履歴がある。ということは、「パーツ１０、パーツ１５」の前回交換時から現時点までの印刷枚数は「１２３００−５０００＝７０００枚」である。ここで、図７に示す交換実績情報６１を参照すると、「５０００枚」で「パーツ１５」の交換率が「２０％」という実績があり、前回交換時から現時点までの印刷枚数が「７０００枚」であり「５０００枚」を超えていることから「パーツ１５」は交換が必要な部品とされる。ステップＳ３０６の処理の結果は図８に示す「結果Ｃ２」となる。
【００３１】
次に、制御部１１は、上記の検索結果から交換情報を算出し、算出結果を携帯端末に送信し表示させる（図２ステップＳ３０７）。
図９は、交換情報が算出され、携帯端末５の表示部２３に表示された交換情報７１の一例を示す図である。制御部１１は、ステップＳ３０４、ステップＳ３０５、ステップＳ３０６での検索結果を交換情報７１として携帯端末５に送信し、表示部２３に表示させる。図９に示されるように、「パーツ１１」（ステップＳ３０４の結果）が「対策部品」として表示され、更にステップＳ３０５、ステップＳ３０６の結果から算出された「パーツ１２、パーツ１３、パーツ１４、パーツ１５」が交換率の高い順に「予防部品」として表示される。
【００３２】
以上説明した本実施の形態では、交換が望ましい部品だけでなく、その部品の交換が、品質を向上させるためなのか、故障の予防のためなのかを交換情報７１として取得して表示することが可能となる。
メンテナンス作業者は、携帯端末５に表示された交換情報７１を手がかりとして、その点検対象機器７のどの部品を交換すべきか否かを判断し、メンテナンス作業を効率的に行うことが可能である。
なお、図２に示すステップＳ３０２からステップＳ３０６の各検索結果をそれぞれ携帯端末５の表示部２３に表示させることも可能である。
【００３３】
次に、メンテナンス作業支援装置の第２の実施形態について説明する。
図１０は、第２の実施形態におけるサーバー３の交換情報算出処理の手順を示すフローチャートである。図２に示す交換情報算出処理と異なる部分は、ステップＳ４０１とステップＳ４０２とである。第２の実施形態では、ユーザーごとの点検対象機器７の設置情報から設置ランクを決め、設置ランクを考慮して部品の交換情報を算出する点である。
【００３４】
図１０ステップＳ４０１では、制御部１１はユーザーの設置情報から適用する設置ランクを選択する。
図１１は、設置ランクの一例を示す図である。図１１に示すように、設置ランクは、点検対象機器７の設置環境やユーザーの使用状況、ユーザーの求める印刷品質といった設置情報によって決められる。例えば、点検対象機器７のユーザーの業種が「ＪＡ」であり、点検対象機器７の使用環境における湿度（湿度センサ３２の検出結果）が「５０％」である場合、設置ランクは「設置ランク１」であることを示している。この設置ランクに関する情報は、記憶部１２に記憶される。ここでは、「業種」と「湿度」といった設置情報によって設置ランクが決められる例を示したが、設置情報として「温度」、「ほこり」、その他の条件を採用し、また、それらを組み合わせて設置ランクを適宜決めることが可能である。
【００３５】
図１０ステップＳ４０２では、制御部１１は設置ランクに基づいた延べ枚数ごとの部品交換実績を検索する。ステップＳ４０２の処理は、図２に示すステップ３０３に相当する。
図１２は、設置ランクごとに決められた交換実績情報を示す図である。図１２に示すように、交換実績情報１０１−１は設置ランク１に対応付けて記憶され、交換実績情報１０１−２は設置ランク２に対応付けて記憶され、交換実績情報１０１−３は設置ランク３に対応付けて記憶され、交換実績情報１０１−４は設置ランク４に対応付けて記憶される。交換実績情報１０１−１〜１０１−４は、各パーツが同じ交換率であるが、交換実績となる延べ枚数が設置ランクによって異なる。ここで、図１１に示す設置ランク３は、例えば湿度が「９０％」と点検対象機器７の使用環境としては大変シビアな環境であり、「パーツ１５」の交換率が「２０％」となるのは、交換実績情報１０１−１では延べ印刷枚数が５０００枚」であるが、設置ランク３の交換実績情報１０１−３では述べ枚数が「３０００枚」となる。
【００３６】
ここで、点検対象機器７の設置ランクが「設置ランク３」である場合、図１２に示す交換実績情報１０１−３を参照し、前述のステップＳ３０４からステップＳ３０７の処理を行う。図１３は、設置ランクを考慮した場合のステップＳ３０５、ステップＳ３０６の検索結果を示す図である。
【００３７】
ここで、現点検時の点検対象機器７の延べ印刷枚数が「１２３００枚」であるとすると、交換実績情報１０１−３の「３０００枚」、「８０００枚」、「１２０００枚」の交換実績を参照し、交換率が高い（例えば、交換率が「１０％」以上）として挙げられた部品「パーツ１０、パーツ１１、パーツ１２、パーツ１３、パーツ１４、パーツ１５、パーツ２０」のうち、交換履歴情報５１で交換履歴が記憶された「パーツ１０、パーツ１５」（図６参照）を除いた「パーツ１１、パーツ１２、パーツ１３、パーツ１４、パーツ２０」がステップＳ３０５の検索結果「結果Ｃ１」として検索される。また、「結果Ｃ２」として第１の実施形態と同様に「パーツ１５」が検索される。
【００３８】
こうして、図１２に示す交換実績情報１０１−３を用いて、ステップＳ３０４からステップＳ３０７の処理を行った結果、図１４に示す交換情報が算出される。図１４に示す交換情報１１１は、設置ランクを考慮した交換情報である。交換情報１１１は、携帯端末５の表示部２３に表示され、メンテナンス作業者は交換情報１１１を参照し、部品交換作業を行うことができる。
尚、図１２に示す交換実績情報では、全ての部品の延べ印刷枚数を設置ランクによって変えたが、特定の部品の延べ印刷枚数を変えることも可能である。
【００３９】
次に、メンテナンス作業支援装置の第３の実施形態について説明する。
第３の実施形態においても、サーバー３は、第２の実施形態と同様に、図１１の設置ランクを考慮し、図１０に示す手順に従って部品の交換状況を算出する。
図１５は、第３の実施形態における設置ランクごとに決められた交換実績情報を示す図である。図１５に示すように、交換実績情報１２１−１は設置ランク１の設置情報に適用され、交換実績情報１２１−２は設置ランク２の設置情報に適用され、交換実績情報１２１−３は設置ランク３の設置情報に適用される。交換実績情報１２１−１〜１２１−３では、延べ印刷枚数に対する交換率が設置ランクによって異なる。
【００４０】
例えば、交換率が１０％以上の場合を交換実績情報として記憶する場合、設置ランク１の交換実績情報１２１−１では延べ印刷枚数「１００００枚」での交換率が「３０％」である「パーツ１０」は、設置ランク３の交換実績情報１２１−３では延べ印刷枚数「５０００枚」で交換率「１５％」となる。即ち、設置ランクによって、交換実績情報が変わるため、交換実績情報に基づいて算出される交換情報も変わることになる。
【００４１】
ここで、点検対象機器７の設置ランクが「設置ランク３」である場合、図１５に示す交換実績情報１２１−３を用いて、前述のステップＳ３０４からステップＳ３０７の処理を行う。図１６は、設置ランクを考慮した場合のステップＳ３０５、ステップＳ３０６の検索結果を示す図である。
【００４２】
ここで、現点検時の点検対象機器７の延べ印刷枚数が「１２３００枚」であるとすると、交換実績情報１２１−３の「５０００枚」「１００００枚」の交換実績として挙げられた部品「パーツ１０、パーツ１１、パーツ１２、パーツ１３、パーツ１４、パーツ１５、パーツ２０」のうち、交換履歴情報５１で交換履歴が記憶された「パーツ１０、パーツ１５」（図６参照）を除いた「パーツ１１、パーツ１２、パーツ１３、パーツ１４、パーツ２０」がステップＳ３０５の検索結果「結果Ｃ１」として検索される。また、前回交換時からの延べ印刷枚数が「７０００枚」であることから、交換実績情報１２１−３の「５０００枚」の「パーツ１５」「パーツ１０」が「結果Ｃ２」として検索される。
【００４３】
こうして、図１５に示す交換実績情報１２１−３を用いて、ステップＳ３０４からステップＳ３０７の処理を行った結果、図１７に示す交換情報が算出される。図１７に示す交換情報１３１は、設置ランクを考慮した交換情報である。交換情報１３１は、携帯端末５の表示部２３に表示され、メンテナンス作業者は交換情報１３１を参照し、部品交換作業を行うことができる。
なお、図１５に示す交換実績情報では、全ての部品の交換率を設置ランクによって変えたが、特定の部品の交換率だけを変えることも可能である。
【００４４】
次に、メンテナンス作業支援装置の第４の実施形態について説明する。
図１８は、第４の実施形態であるメンテナンス作業支援装置によって算出された交換情報の表示例を示す図である。図１８に示す交換情報には、符号１４０に示されるように、点検対象機器７のファームウェアのバージョンが示される。これは、記憶部１２に予め記憶されたユーザーの点検対象機器７の機器情報から読み出され、点検対象機器７のシリアル番号を基に検索され、表示される。
【００４５】
メンテナンス作業者は、表示されたバージョン情報を参照し、現時点での点検対象機器７のファームウェアが最新バージョンか否かの判定ができ、最新バージョンのファームウェアでない場合は、最新バージョンのファームウェアを点検対象機器７にダウンロードするなどのメンテナンス作業を行うことが可能である。
【００４６】
次に、メンテナンス作業支援装置の第５の実施形態について説明する。
図１９は、第５の実施形態であるメンテナンス作業支援装置によって算出された交換情報の表示例を示す図である。図１９に示す交換情報には、各部品の単価が当該部品に対応付けて表示される。これは、記憶部１２に各部品とその単価が対応付けて予め記憶されており、サーバー３が交換情報を算出して携帯端末５に表示させる際に、単価も読み出して表示させる。
第５の実施形態は、例えば、メンテナンス契約をしているユーザーであっても、対策部品以外の部品を交換する場合、その部品代のみ支払ってもらうユーザーに対するメンテナンス作業において有効である。また、メンテナンス作業者は、交換率の高さと部品の単価の両方を携帯端末５の表示部２３に表示させて説明することも可能であり、ユーザー側も、交換率や単価を参照しながら、メンテナンスの必要性やスケジュールを立てることが可能である。
【００４７】
次に、メンテナンス作業支援装置の第６の実施形態について説明する。
図２０は、第６の実施形態であるメンテナンス作業支援装置によって算出された交換情報の表示例を示す図である。図２０に示す交換情報には、各部品の交換作業にかかる時間（交換時間）が表示される。これは、記憶部１２に各部品とその交換時間が予め記憶されており、サーバー３が交換情報を算出して携帯端末５に表示させる際に、交換時間も読み出して表示させる。
第６の実施形態は、メンテナンス業者が交換作業に必要な時間をユーザーに説明する場合に有効であり、部品交換のために点検対象機器７を停止する必要がある場合やユーザーの忙しさ等に応じてメンテナンス作業のスケジュールなどを決定する場合に有効である。
【００４８】
次に、メンテナンス作業支援装置の第７の実施形態について説明する。
図２１は、第７の実施形態であるメンテナンス作業支援装置によって算出された交換情報の表示例を示す図である。図２１に示す交換情報には各部品に対する予防度合が表示される。予防度合とは、交換実績情報に示される交換率に応じた値であり、例えば、交換率「３０％」のものは予防度合を「３０度」として表示する。この予防度合は、各部品に対応付けられて記憶部１２に予め記憶されており、サーバー３が交換情報を算出して携帯端末５に表示させる際に、予防度合も読み出して表示させる。この予防度合も設置ランクにあわせて補正して表示させることも可能である。メンテナンス業者は、例えば、標準の予防度合と設置ランクごとの予防度合を携帯端末５の表示部２３に表示させ、設置状況により予防度合がどの程度変化するのかをユーザーに説明することが可能となる。
【００４９】
次に、メンテナンス作業支援装置の第８の実施形態について説明する。
第１の実施形態では部品ごとにその部品が対策部品であるか、予防部品であるかを決めて記憶部１２に記憶させていたが、第８の実施形態では、ユーザーの業種や作業状況よって交換対象となる部品を対策部品とするか予防部品とするかを決めて記憶させることが特徴である。
図２２は、点検対象機器７ごとの部品の分類を示す図である。図２３は業種により決定された部品の分類を示す図である。図２２に示す標準の使用環境における部品の分類では「パーツ１０」「パーツ３０」は予防部品である。図２３（ａ）は業種Ａに関する部品の分類を示す。業種Ａが、例えば、画質（印刷品質）を重視する業種である場合、「パーツ１０」における画質の項目にはフラグ「１」が記憶され、「パーツ３０」における湿度の項目にはフラグ「１」が記憶される。サーバー３は、業種Ａに対する部品の分類では「パーツ１０」、「パーツ３０」については「予防部品」から「対策部品」に変更し、前述のような交換情報算出処理を行う。これにより、業種に必要とされる性能に応じて、予防部品を対策部品としてメンテナンスを行うことができる。
【００５０】
また、図２２に示す標準の使用環境における部品の分類では「パーツ７０」は対策部品である。図２３（ｂ）は業種Ｂに関する部品の分類を示す。業種Ｂでは湿度が標準的な環境のより低い場合、「パーツ７０」における湿度の項目にフラグ「１」が記憶される。これにより、サーバー３は、業種Ｂに対する部品の分類では「パーツ７０」を「対策部品」から「予防部品」に変更して、前述のような交換情報算出処理を行う。これにより、使用環境に応じて部品交換（メンテナンス）を提供することが可能となり、故障の可能性が低い部品を必要以上に交換することがなくなり、メンテナンス業者も効率よく作業が行え、ユーザーにとっても部品交換コストを低減することが可能となる。
また、部品が対策部品であるか予防部品であるかを、ユーザーごとの点検対象機器７の利用状況によって決定してもよい。
【００５１】
以上、添付図面を参照しながら、本発明に係るメンテナンス作業支援装置の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
尚、上記の実施形態では全て部品交換を例に説明したが、部品交換を伴わないメンテナンス、例えば、オーバーホール、グリスアップ、回転バランスの調整などにも本メンテナンス作業支援装置を適用することが可能である。
【産業上の利用可能性】
【００５２】
このように、本発明によれば、ユーザーの設置状況や品質に対する要求等を考慮して交換や点検が必要である部品に関する情報を算出し、メンテナンス作業の品質や効率を向上させることが可能となる。
【符号の説明】
【００５３】
３………サーバー（メンテナンス作業支援装置）
５………携帯端末
７………点検対象機器
１１………制御部
１２………記憶部
１３………通信部
２１………制御部
２２………通信部
２３………表示部
２４………記憶部
２５………入力部
３１………温度センサ
３２………湿度センサ
３３………ほこりセンサ
３４………印刷枚数カウンタ
３５………通信部
５１………交換履歴情報
６１、１０１、１２１………交換実績情報
７１、１１１、１３１………交換情報
【図１】
2010165098.tif 000003
【図２】
2010165098.tif 000004
【図３】
2010165098.tif 000005
【図４】
2010165098.tif 000006
【図５】
2010165098.tif 000007
【図６】
2010165098.tif 000008
【図７】
2010165098.tif 000009
【図８】
2010165098.tif 000010
【図９】
2010165098.tif 000011
【図１０】
2010165098.tif 000012
【図１１】
2010165098.tif 000013
【図１２】
2010165098.tif 000014
【図１３】
2010165098.tif 000015
【図１４】
2010165098.tif 000016
【図１５】
2010165098.tif 000017
【図１６】
2010165098.tif 000018
【図１７】
2010165098.tif 000019
【図１８】
2010165098.tif 000020
【図１９】
2010165098.tif 000021
【図２０】
2010165098.tif 000022
【図２１】
2010165098.tif 000023
【図２２】
2010165098.tif 000024
【図２３】
2010165098.tif 000025